(57)【要約】【課題】浴槽内の水の供給経路における不純物の付着を抑制する洗浄水給水システム、衛生設備及び洗浄水給水方法を提供する。【解決手段】浴槽と便器とが接続された経路の配管を介して前記便器に浴槽水を供給する洗浄水給水システムであって、前記経路の配管内を洗浄する指示を入力する入力部と、前記便器に前記浴槽水を供給して前記便器内の汚物を排出する第１洗浄モードにおいて供給する前記浴槽水よりも多い量の浴槽水を供給する第２洗浄モードを前記指示に基づいて実行する制御部と、を有することを特徴とする。【選択図】図１
2015086621.tif 000002
【特許請求の範囲】
【請求項１】
浴槽と便器とが接続された経路の配管を介して前記便器に浴槽水を供給する洗浄水給水システムであって、
前記経路の配管内を洗浄する指示を入力する入力部と、
前記便器に前記浴槽水を供給して前記便器内の汚物を排出する第１洗浄モードにおいて供給する前記浴槽水よりも多い量の浴槽水を供給する第２洗浄モードを前記指示に基づいて実行する制御部と、
を有することを特徴とする洗浄水給水システム。
【請求項２】
前記浴槽水の温度を測定する温度センサから得られる測定結果が温度基準値以上であるか否かを判定する温度判定部を有し、
前記制御部は、前記温度判定部の判定結果に基づいて、前記測定結果が前記温度基準値以上である場合に、前記指示に基づいて第２洗浄モードによる前記浴槽水を供給する
ことを特徴とする請求項１に記載の洗浄水給水システム。
【請求項３】
前記第２洗浄モードにおいて前記経路を経由して供給する単位時間あたりの浴槽水の量は、前記第１洗浄モードにおいて前記経路を経由して供給する単位時間あたりの浴槽水の量よりも多い
ことを特徴とする請求項１または請求項２記載の洗浄水給水システム。
【請求項４】
前記第２洗浄モードにおいて前記経路を経由して前記浴槽水を供給する時間は、前記第１洗浄モードにおいて前記浴槽水を前記便器に供給する時間よりも長い
ことを特徴とする請求項１または請求項２記載の洗浄水給水システム。
【請求項５】
浴槽と便器とが接続された経路の配管を介して前記便器に浴槽水を供給する衛生設備であって、
前記経路の配管内を洗浄する指示を入力する入力部と、
前記指示に基づいて、前記便器に前記浴槽水を供給して前記便器内の汚物を排出する第１洗浄モードにおいて供給する前記浴槽水よりも多い量の浴槽水供給する第２洗浄モードを備えた制御部と、
を有することを特徴とする衛生設備。
【請求項６】
浴槽と便器とが接続された経路の配管を介して前記便器に浴槽水を供給する洗浄水給水方法であって、
前記経路の配管内を洗浄する指示を入力する入力工程と、
前記指示に基づいて、前記便器に前記浴槽水を供給して前記便器内の汚物を排出する第１洗浄モードにおいて供給する前記浴槽水よりも多い量の浴槽水供給する第２洗浄モードを備えた制御工程と、
を有することを特徴とする洗浄水給水方法。
【発明の詳細な説明】
【技術分野】
【０００１】
本発明は、洗浄水給水システム、衛生設備及び洗浄水給水方法に関する。
【背景技術】
【０００２】
浴槽と便器を配管で接続し、ポンプを介して浴槽内の入浴後の水を便器に送り込むことで、浴槽内の水を便器の洗浄水として利用する洗浄水給水システムが知られている（例えば、特許文献１及び特許文献２）。
【先行技術文献】
【特許文献】
【０００３】
【特許文献１】特開２０１３−１０４２０６号公報
【特許文献２】特開２０１３−１０４２０７号公報
【発明の概要】
【発明が解決しようとする課題】
【０００４】
しかしながら、上述の洗浄水給水システムでは、浴槽内の水は、浴槽と便器とをつなぐ配管を経由して便器に供給される。便器洗浄後、浴槽から供給された水は、浴槽と便器とをつなぐ配管内に蓄積したり、便器の内面に付着したり、便器内に滞留する場合がある。ここで、浴槽内の水に湯垢や汚れなどの不純物が含まれていた場合、浴槽内の水の供給経路内、例えば浴槽と便器とをつなぐ配管内や便器等に浴槽内の水が長時間堆積すると、この配管内や便器等に不純物が付着し、雑菌の繁殖を招く虞がある。
【０００５】
本発明は、このような事情に鑑みてなされたもので、その目的は、浴槽内の水の供給経路における不純物の付着を抑制する洗浄水給水システム、衛生設備及び洗浄水給水方法を提供することである。
【課題を解決するための手段】
【０００６】
本発明の一態様は、浴槽と便器とが接続された経路の配管を介して前記便器に浴槽水を供給する洗浄水給水システムであって、前記経路の配管内を洗浄する指示を入力する入力部と、前記便器に前記浴槽水を供給して前記便器内の汚物を排出する第１洗浄モードにおいて供給する前記浴槽水よりも多い量の浴槽水を供給する第２洗浄モードを前記指示に基づいて実行する制御部と、を有することを特徴とする。
【０００７】
また、本発明の一態様は、上述した洗浄水給水システムであって、前記浴槽水の温度を測定する温度センサから得られる測定結果が温度基準値以上であるか否かを判定する温度判定部を有し、前記制御部は、前記温度判定部の判定結果に基づいて、前記測定結果が前記温度基準値以上である場合に、前記指示に基づいて第２洗浄モードによる前記浴槽水を供給することを特徴とする。
【０００８】
また、本発明の一態様は、上述した洗浄水給水システムであって、前記第２洗浄モードにおいて前記経路を経由して供給する単位時間あたりの浴槽水の量は、前記第１洗浄モードにおいて前記経路を経由して供給する単位時間あたりの浴槽水の量よりも多いことを特徴とする。
【０００９】
また、本発明の一態様は、上述した洗浄水給水システムであって、前記第２洗浄モードにおいて前記経路を経由して前記浴槽水を供給する時間は、前記第１洗浄モードにおいて前記浴槽水を前記便器に供給する時間よりも長いことを特徴とする。
【００１０】
また、本発明の一態様は、浴槽と便器とが接続された経路の配管を介して前記便器に浴槽水を供給する衛生設備であって、前記経路の配管内を洗浄する指示を入力する入力部と、前記指示に基づいて、前記便器に前記浴槽水を供給して前記便器内の汚物を排出する第１洗浄モードにおいて供給する前記浴槽水よりも多い量の浴槽水供給する第２洗浄モードを備えた制御部と、を有することを特徴とする。
【００１１】
また、本発明の一態様は、浴槽と便器とが接続された経路の配管を介して前記便器に浴槽水を供給する洗浄水給水方法であって、前記経路の配管内を洗浄する指示を入力する入力工程と、前記指示に基づいて、前記便器に前記浴槽水を供給して前記便器内の汚物を排出する第１洗浄モードにおいて供給する前記浴槽水よりも多い量の浴槽水供給する第２洗浄モードを備えた制御工程と、を有することを特徴とする。
【発明の効果】
【００１２】
以上説明したように、本発明によれば、浴槽内から便器に対して、浴槽内の水を通常よりも多い流量で供給する、又は通常よりも長時間供給する。これにより、浴槽内の水の供給経路に汚れが付着することを抑制することができる。
【図面の簡単な説明】
【００１３】
【図１】本発明の実施形態における洗浄水給水システム１の構成例を示す図である。
【図２】本発明の実施形態における制御装置１９の機能ブロック図である。
【図３】本発明の実施形態における配管洗浄のフローチャートである。
【図４】他の実施形態のおける便器３ａの構成例を示す図である。
【発明を実施するための形態】
【００１４】
以下、本発明の実施形態における洗浄水給水システム１を、図面を用いて説明する。図１は、本発明の実施形態における洗浄水給水システム１の構成例を示す図である。本発明の実施形態における洗浄水給水システム１は、住宅などに設置される浴槽２内の水を、水洗式の便器３に洗浄水として給水し、便器３内から汚物を排出するシステムである。
【００１５】
図１において、洗浄水給水システム１は、住宅などに設置される浴槽２内の残り湯などの水を、水洗式の便器としての洋風便器３に洗浄水として給水して、洋風便器３内から汚物を排出可能なシステムである。また、洗浄水給水システム１における制御装置１９は、浴槽２内の水を、洋風便器３に洗浄水として給水するか否かの判定を実行する（詳細後述）。まず、洋風便器３、浴槽２、洗浄水給水システム１の順番にその構成について説明する。
【００１６】
洋風便器３は、陶磁器で構成され、かつ、図１に示すように、便鉢４と、リム５と、便鉢４と排水口６とを連通したトラップ部７とを一体に備えている。リム５は、便鉢４の上縁の内面に設けられている。
【００１７】
トラップ部７は、一端が便鉢４の底部に開口しかつ他端が排水口６に連通した通路である。トラップ部７は、便鉢４の底部に開口しかつ一端から他端に向かうにしたがって徐々に上方に向かう上昇域部７ａと、上昇域部７ａから下方に向かい排水口６に連通した下降域部７ｂとを一体に備えて、洋風便器３を所謂サイホン洗い落とし形式の便器としている。
【００１８】
浴槽２は、浴槽２内の水を浴槽２外へ供給可能な吸込口１０と、一方の端部が吸込口１０に連結され、他方の端部がポンプ１３に連結された連結配管１２と、連結配管１２に連結されたポンプ１３とを備えている。
【００１９】
ポンプ１３は、制御装置１９からの駆動信号に基づいて駆動することで、連結配管１２を介して吸込口１０から吸い込んだ浴槽２内の水を、給水配管３１、リム用給水管１５を介して、洋風便器３のリム５の内面に供給する。
ポンプ１３は、制御装置１９からポンプ１３を動作させる第１の駆動信号を受信した場合、通常時の流量の浴槽水を吸水し、洋風便器３のリム５の内面に供給する。通常時の流量は、汚物の排泄時に浴槽２内の浴槽水を配管内に送水する流量である。本実施形態における流量は、単位時間当たりに供給する水量である。
ポンプ１３は、制御装置１９からポンプを動作させる第２の駆動信号を受信した場合、通常の便器洗浄時に配管内に流す浴槽水の流量よりも大流量の浴槽水を吸水し、洋風便器３のリム５の内面に供給する。ポンプ１３は、制御装置１９から第１の駆動信号もしくは第２の駆動信号を受信しない場合、浴槽水の吸水をせず、浴槽水を配管内に送水しない。
【００２０】
また、図１に示すように、温度センサ１００が設けられる。温度センサ１００は、サーミスタなど温度に応じて抵抗値が変化するセンサであり、浴槽２内の水の温度を検出する。温度センサ１００の検出結果は、制御装置１９に入力される。なお、温度センサ１００は、浴槽２内の水の温度が検出できれば、浴槽２の内周面に設けられてもよいし、浴槽２に連結され、浴槽２内の水が供給される配管に設けられてもよい。
【００２１】
洗浄水給水システム１は、図１に示すように、給水管としてのリム用給水管１５と、上水給水部１６と、浴槽内水給水部１７と、スイッチ装置１８と、制御装置１９とを備えている。
リム用給水管１５は、一端が洋風便器３のリム５に連結されて、洋風便器３に連結されている。リム用給水管１５は、上水給水部１６及び浴槽内水給水部１７から給水される洗浄水をリム５の内面に導いて、洋風便器３に給水する。
【００２２】
次に、上水給水部１６は、上水管２０と、開閉弁としてのリム用開閉弁２１と、開放弁としてのリム用バキュームブレーカ２３と、リム側連結配管２５とを備えている。
上水管２０は、上水道からの上水が給水される。上水管２０は、リム用開閉弁２１に連結され、上水道からの上水を、洗浄水として、リム用開閉弁２１、リム側連結配管２５、リム用バキュームブレーカ２３及びリム用給水管１５を介して、洋風便器３に給水する。
また、リム用開閉弁２１は、上水管２０と、リム側連結配管２５の一端とが連結されて、上水管２０とリム用給水管１５との間に設けられている。リム用開閉弁２１は、上水管２０からリム側連結配管２５を介してリム用給水管１５に亘る上水の流路を開閉する。
【００２３】
また、リム用バキュームブレーカ２３は、リム側連結配管２５の他端と、リム用給水管１５の他端とが連結されている。こうして、リム用バキュームブレーカ２３は、上水管２０とリム用給水管１５との間でかつリム用開閉弁２１よりも洋風便器３寄りに設けられている。リム用バキュームブレーカ２３は、リム側連結配管２５内の上水の圧力がリム用給水管１５内の水の圧力よりも低下しても即ちリム側連結配管２５や上水管２０側が負圧となっても、リム用給水管１５内の水がリム側連結配管２５や上水管２０側に逆流することを防止する。
また、リム側連結配管２５は、一端がリム用開閉弁２１に連結し他端がリム用バキュームブレーカ２３に連結されている。
【００２４】
以上の構成により、上水給水部１６は、リム用開閉弁２１が開くと、上水管２０からの上水をリム側連結配管２５、リム用バキュームブレーカ２３及びリム用給水管１５を介して、洋風便器３のリム５の内面から洋風便器３の周方向に給水する。上水給水部１６は、洋風便器３の便鉢４の内面において、上水を周方向に流して、上水により洋風便器３の便鉢４の内面を洗浄する。
【００２５】
このように、上水給水部１６は、リム用給水管１５等を介して洋風便器３に連結されて、洗浄水としての上水を、リム用給水管１５等を介して洋風便器３に給水する。また、上水給水部１６は、前述したリム用開閉弁２１を備えて、洋風便器３のリム５に洗浄水としての浴槽２内の水を給水可能である。このように、本実施形態の洋風便器３は、上水道からの上水を一旦タンクなどに溜めることのない、所謂、タンクレス洋風便器となっている。
【００２６】
次に、浴槽内水給水部１７は、前述したポンプ１３と、配管２８と、流量検出手段としての流量計２９と、リム側給水配管３１とを備えている。
また、配管２８は、一端がポンプ１３に連結され、他端が流量計２９に連結している。この配管２８の一部は、洋風便器３よりも高い位置まで立ち上げられている。
流量計２９は、配管２８の他端側に設けられ、配管２８内を流れる水により回転される羽根車などを備えて、配管２８内の水の流量を検出する。流量計２９は、検出した配管２８内の水の流量を示す流量信号、例えば羽根車が１回転する毎に１つのパルス信号を制御装置１９に出力する。
また、リム側給水配管３１は、一端が流量計２９に連結され、他端がリム用給水管１５の経路の一部に連結している。
【００２７】
このように、リム側給水配管３１がリム用給水管１５に連結されることで、浴槽内水給水部１７は、上水給水部１６の開閉弁２１及びバキュームブレーカ２３よりもリム用給水管１５の洋風便器３側に連結している。
【００２８】
スイッチ装置１８は、制御装置１９に接続されている。スイッチ装置１８は、便器３の便鉢４の側方の壁や住宅の内壁面などに設けられている。
スイッチ装置１８は、洗浄モードが割当てられた洗浄ボタン、配管経路洗浄モードが割当てられた配管経路洗浄ボタン、便器掃除モードが割当てられた便器掃除ボタンを有する。
洗浄モードは、便器内の汚物を排出するモードである。
配管経路洗浄モードは、浴槽内の水を用いて浴槽の水が便器内に給水され便器外へ排出されるまでの経路（例えば、配管２８、リム側給水配管３１等）のうち少なくとも一部または全部を洗浄するモードである。
便器掃除モードは、浴槽２内の高温の浴槽水を用いて便器３内を洗浄するモードである。
スイッチ装置１８は、ユーザが洗浄ボタン、配管掃除ボタン、便器掃除ボタンのいずれかのボタンを押下した場合、制御装置１９にそのボタンに応じた信号であるモードを出力する。
【００２９】
図２は、本発明の実施形態における制御装置１９の機能ブロック図である。
制御装置１９は、複数の入力ポートを有している。制御装置１９の入力ポートには、少なくとも流量計２９及びスイッチ装置１８と温度センサ１００が接続されている。制御装置１９の出力ポートには、少なくとも開閉弁２１、バキュームブレーカ２３、ポンプ１３が接続されている。制御装置１９は、図示しないＲＡＭ、ＲＯＭ、ＣＰＵ、入出力ポートなどを備えた演算装置である。
制御装置１９は、入力部１９１、温度判定部１９２、制御部１９３、流量判定部１９４を備えている。
入力部１９１は、スイッチ装置１８に接続されスイッチ装置１８から出力されるモード信号を取得する。
【００３０】
次に制御部１９３について説明する。
制御部１９３は、便器３に浴槽２内の水を供給して便器３内の汚物を排出する第１洗浄モードにおいて供給する浴槽２内の水よりも多い量の浴槽２内の水を供給する第２洗浄モードを入力部１９１から得られるモード信号に基づいて実行する。第１洗浄モードは、例えば上述の洗浄モードを用いることができる。第２洗浄モードは、例えば少なくとも配管経路洗浄モードと便器掃除モードとのうち、いずれか一方のモードを用いることができ、また、両方を用いることもできる。
ここで、配管経路洗浄モードにおいて浴槽水配管を経由して供給する単位時間あたりの浴槽２内の水の量は、洗浄モードにおいて浴槽水配管を経由して供給する単位時間あたりの浴槽水の量よりも多い。すなわち、流量を洗浄モードより多くすることで洗浄モードよりも強い勢いで浴槽２内の水を浴槽水配管内において移送させることができる。
また、洗浄モードよりも多い量の水を移送する他の例として、供給時間を用いることもできる。例えば、配管経路洗浄モードにおいて浴槽水配管を経由して浴槽２内の水を供給する時間を、洗浄モードにおいて浴槽２内の水を便器３に供給する時間よりも長く設定することができる。すなわち、流量を洗浄モードより多くすることで洗浄モードよりも強い勢いで浴槽２内の水を浴槽水配管内において移送させることができる。洗浄モードよりも長い時間、浴槽２内の水を流すことで、浴槽水配管内の不純物を溶解させつつ排出することができる。また、浴槽水配管の距離がある程度長い場合であっても、上流側に存在する不純物を下流側に確実に排出することができる。
【００３１】
次に、制御部１９３における上述した３つのモードの機能ついて説明する。
＜洗浄モード＞
洗浄モードにおいて、制御部１９３は以下の処理を行う。すなわち、制御部１９３は、入力部１９１からモード信号を取得した際、流量判定部１９４にボタンが押されたことを示す信号（以下、「計測信号」という。）を出力する。また制御部１９３は、ポンプ１３に第１の駆動信号を出力する。第１の駆動信号は、便器３内に浴槽２内の水を供給して当該便器３内の汚物をトラップ部７を経由して排出させる流量に応じてポンプ１３を駆動させる信号である。
また、制御部１９３は、流量判定部１９４から停止信号（後述）を取得すると、ポンプ１３に対する第１の駆動信号の出力を停止する。
【００３２】
＜配管経路洗浄モード＞
配管経路洗浄モードにおいて、制御部１９３は以下の処理を行う。すなわち、制御部１９３は、入力部１９１からモード信号を取得した際、流量判定部１９４に計測信号を出力する。制御部１９３は、ポンプ１３に第２の駆動信号を出力する。第２の駆動信号は、第１の駆動信号によって供給する浴槽２内の水の量よりも多い量の浴槽２内の水を供給するようにポンプ１３を駆動させる信号である。
また、制御部１９３は、流量判定部１９４から停止信号を取得すると、ポンプ１３に対する第２の駆動信号の出力を停止する。
また、制御部１９３は、入力部１９１からモード信号を取得した際、温度判定部１９２において、浴槽２内の浴槽水が浴槽水配管内の汚れを洗浄するのに十分な温度か否かを温度センサ１００の検出結果と温度閾値とを比較することによって判定する。制御部１９３は、浴槽２内の浴槽水が浴槽水配管内の汚れを洗浄するのに十分な温度である場合、流量判定部１９４に計測信号を出力する。また、制御部１９３は、浴槽２内の水が浴槽水配管内の汚れを洗浄するのに十分な温度ではない場合、制御部１９３は、浴槽２内の浴槽水の追い焚き運転を行う。
【００３３】
＜便器掃除モード＞
次に便器掃除モードにおいて、制御部１９３は上水又は浴槽２内の水をリム用給水管１５を経由して給水することで便器内を洗浄する。この便器掃除モードは、便器３内に汚物があるか否かに関わらず実施しても良い。制御部１９３は、便器掃除モードである場合、ポンプ１３に第１の駆動信号又は第２の駆動信号を出力する。また、制御部１９３は、流量判定部１９４から停止信号を取得すると、ポンプ１３に対する第１の駆動信号又は第２の駆動信号の出力を停止する。
【００３４】
次に流量判定部１９４について説明する。
流量判定部１９４は、制御部１９３から計測信号が入力されると、流量計２９からの流量信号を単位時間毎に取得する。流量判定部１９４は、例えば、流量信号が上述したパルス信号である場合、単位時間当たりに入力されるパルス数を一定周期毎に算出する。また、流量判定部１９４は、流量判定部１９４の内部に設けられた記憶部に予め記憶してある流量テーブルを参照し、単位時間当たりのパルス数に対応する流量値を単位時間毎に取得する。流量テーブルは、単位時間当たりのパルス数と、単位時間当たりのパルス数毎の流量値を対応させたテーブルである。流量判定部１９４は、単位時間毎に取得した流量値を積算する。
【００３５】
流量判定部１９４は、積算した流量値が流量値閾値以上か否かを単位時間毎に判定する。流量値閾値は、汚物の排出動作に十分な所定量（規定量）の浴槽２内の浴槽水が給水されたか否かを判定する閾値である。流量判定部１９４は、単位時間毎に積算した流量値が流量値閾値以上の場合、制御部１９３に停止信号を出力する。一方、流量判定部１９４は、単位時間毎に積算した流量値が流量値閾値未満の場合、制御部１９３に停止信号を出力しない。
【００３６】
温度判定部１９２は、温度センサ１００が測定した浴槽２内の浴槽水の温度を取得する。温度判定部１９２は、取得した浴槽２内の浴槽水の温度が予め設定された温度閾値以上か否かを判定する。温度閾値は、流量判定部１９４が浴槽水配管内の汚れを洗浄するのに十分な温度、例えば浴槽水配管内に堆積している不純物が溶解しやすい温度を用いることができる。
【００３７】
次に本実施形態の洗浄水給水システム１における上述した３つのモード（洗浄モード、配管経路洗浄モード、便器掃除モード）の動作について、図３のフローチャートを参照して説明する。ここでは、配管経路洗浄モードを実行するにあたり、単位時間あたりに供給する浴槽２内の水の量を、洗浄モードにおける単位時間あたりに供給する浴槽２内の水の量よりも多い量で供給する場合について説明する。
ステップＳ１００において、ユーザが洗浄ボタンを押下した場合、制御部１９３は、洗浄モードに移行し、Ｓ１０１に進む。
ステップＳ１０１において、制御部１９３は、ポンプ１３に第１の制御信号を出力することにより、ポンプ１３を駆動して、吸込口１０を通して浴槽２内の浴槽水を吸い込み、吸い込んだ浴槽水を便器３に送水する。これにより、送水された浴槽水がリム５の内面から便器３の周方向に給水されることで、便器３の便鉢４の内面を浴槽２内の浴槽水により洗浄（便器の洗浄動作）される。そして、便器３の便鉢４内の汚物がトラップ部７から排水口６を通して排出される。
【００３８】
ステップＳ１０２において、流量判定部１９４は、流量計２９が出力した配管内２８内を流れる水の流量を示す情報から単位時間毎に流量値を求め、求めた流量値を単位時間毎に積算し、その積算した流量値が流量値閾値以上か否か判定する。流量判定部１９４は、その積算した流量値が流量値閾値以上である場合、停止信号を制御部１９３に出力する。一方、その積算した流量値が流量値閾値未満である場合、停止信号を制御部１９３に出力しない。制御部１９３は、流量判定部１９４から停止信号を取得した場合、規定量の浴槽水が便器３に給水されたと判定し、ポンプ１３に第１の駆動信号を出力することを停止する（ステップ１０２：ＹＥＳ）。
一方、制御部１９３は、流量判定部１９４から停止信号を取得しない場合、規定量の浴槽水が便器３に給水されていないと判定し（ステップ１０２：ＮＯ）、Ｓ１０１に進む。制御部１９３は、流量判定部１９４から停止信号が入力されるまでステップＳ１０１を繰り返す。
【００３９】
ステップＳ１００において、ユーザが便器掃除ボタンを押下した場合、制御部１９３は、便器掃除モードに移行し、ステップＳ１１１に進む。
ステップ１１１において、制御部１９３は、ポンプ１３に第２の制御信号を出力することにより、ポンプ１３を駆動して、洗浄モード時に洗浄水配管内に流す流量よりも大流量の水を便器３内に給水する。
【００４０】
ステップ１１２において、流量判定部１９４は、流量計２９が出力した配管内２８内を流れる水の流量を示す情報から単位時間毎に流量値を求める。流量判定部１９４は、求めた流量値を単位時間毎に積算し、その積算した流量値が流量値閾値以上か否か判定する。流量判定部１９４は、その積算した流量値が流量値閾値以上である場合、停止信号を制御部１９３に出力する。一方、その積算した流量値が流量値閾値未満である場合、停止信号を制御部１９３に出力しない。制御部１９３は、流量判定部１９４から停止信号を取得した場合、規定量の浴槽水が便器３に給水されたと判定し、ポンプ１３に第１の駆動信号又は第２の駆動信号を出力することを停止する（ステップ１１２：ＹＥＳ）。一方、制御部１９３は、流量判定部１９４から停止信号を取得しない場合、規定量の浴槽水が便器３に給水されていないと判定しＳ１１１に進む（ステップ１１２：ＮＯ）。制御部１９３は、流量判定部１９４から停止信号が入力されるまでステップＳ１１１を繰り返す。
ステップ１１３において、制御部１９３は、リム用開閉弁２１を開くことで便器３に上水を給水して、上水を便器３の底部に溜め、便器３の底部に封水を形成する。
【００４１】
ステップＳ１００において、ユーザが配管経路洗浄ボタンを押下した場合、制御部１９３は、配管経路洗浄モードに移行し、ステップＳ１２１に進む。
ステップＳ１２１において、配管経路洗浄モードに移行したことにより、温度判定部１９２は、浴槽２内の浴槽水の温度が温度閾値以上か否か判定する。浴槽２内の浴槽水の温度が温度閾値以上の場合、制御部１９３は、ステップＳ１２３に進む（ステップＳ１２１：ＹＥＳ）。一方、浴槽２内の浴槽水の温度が温度閾値未満の場合、制御部１９３は、ステップＳ１２２に進む（ステップＳ１２１：ＮＯ）。
ステップＳ１２２において、制御部１９３は、浴槽２内の水の追い焚き運転を行い、規定温度に到達すると、追い焚き運転を停止し、ステップＳ１２１に戻る。
【００４２】
ステップ１２３において、制御部１９３は、ポンプ１３に第１の駆動信号又は第２の駆動信号を出力することにより、ポンプ１３を駆動して、洗浄モード時に洗浄水配管内に流す浴槽水の流量よりも大流量の浴槽水を便器３内に給水する。
ステップ１２４において、流量判定部１９４は、流量計２９が出力した配管内２８内を流れる水の流量を示す情報から単位時間毎に流量値を求める。流量判定部１９４は、求めた流量値を単位時間毎に積算し、その積算した流量値が流量値閾値以上か否か判定する。流量判定部１９４は、その積算した流量値が流量値閾値以上である場合、停止信号を制御部１９３に出力する。一方、その積算した流量値が流量値閾値未満である場合、停止信号を制御部１９３に出力しない。制御部１９３は、流量判定部１９４から停止信号を取得した場合、規定量の浴槽水が便器３に給水されたと判定し、ポンプ１３に第２の駆動信号を出力することを停止する（ステップ１２４：ＹＥＳ）。一方、制御部１９３は、流量判定部１９４から停止信号を取得しない場合、規定量の浴槽水が便器３に給水されていないと判定しステップＳ１２３に進む（ステップ１２４：ＮＯ）。制御部１９３は、流量判定部１９４から停止信号が入力されるまでステップＳ１２３を繰り返す。
ステップ１２５において、制御部１９３は、リム用開閉弁２１を開くことで便器３に上水を給水し、便器３の底部に溜め、便器３の底部に封水を形成する。
【００４３】
上述した本実施形態によれば、第２洗浄モードによって、浴槽２内の水を浴槽水配管を経由し便器３内に供給するようにした。これにより、浴槽水配管内と便器３の内面と便器３の底部とのうち、少なくともいずれかの箇所において不純物の付着を抑制することができる。
また、本実施形態によれば、配管経路洗浄モードでは、洗浄モードよりも多い流量の浴槽水を浴槽水配管内に供給する、これより、配管内の異物の堆積や汚れの付着を抑制することができる。また、便器掃除モードにおいて、第２の駆動信号によってポンプ１３を駆動する場合においては便器３内の掃除をするとともに配管内の掃除も行うことができる。
【００４４】
また、本実施形態によれば、浴槽２内に設けられた温度センサ１００によって測定された浴槽２内の浴槽水の温度が温度閾値以上になる場合、制御部１９３は、配管経路洗浄モードによって洗浄モードよりも多い流量の浴槽２内の水を浴槽水配管内に供給する。これより、制御部１９３が温度閾値以上の温度の浴槽水を浴槽水配管内に供給することで、温度閾値未満の温度の浴槽水を浴槽水配管内に供給する場合（例えば洗浄モード）よりも浴槽水配管内の汚れが落ちやすくなり、配管内の異物の堆積や汚れの付着を抑制することができる。また、浴槽水配管内の細菌の繁殖を防ぎ、かつ殺菌することができる。
【００４５】
また、本実施形態において、便器掃除モードを実行する場合においても、浴槽２内の水が温度閾値以上であるか否かを判断し、移送するようにしてもよい。これにより、便鉢４の内面を温度閾値以上の温度の水により洗浄することができるので、便器３内の汚物付着を抑制することができる。また、このとき、温度閾値以上の水を流し、便鉢４の内面を温めた状態において、ユーザが便器３内の掃除することで、より簡単に汚れを除去することも可能となる。
【００４６】
なお、本発明は、上述の実施形態に限られるものではなく、本発明の趣旨を逸脱しない範囲において、上述の実施形態に種々の変更を加えたものを含む。
例えば、本実施形態では、制御部１９３は、ポンプ１３に第２の駆動信号を出力することで、洗浄モードよりも大流量の浴槽水を吸水し、洋風便器３のリム５の内面に供給したが、これに限られるものではない。例えば、制御部１９３は、ポンプ１３に第２の駆動信号を出力することで洗浄モードよりも長い時間浴槽水を浴槽水配管内に供給する。又は、上述した流量閾値の値を洗浄モードの場合よりも高く設定することで洗浄モードよりも長い時間浴槽水を浴槽水配管内に供給する。これにより、配管内の異物の堆積や汚れの付着を抑制することができる。
【００４７】
また、本実施形態では、便器３がタンクレス洋風便器である場合において配管経路洗浄モードと便器掃除モードを適用したが、本実施形態は、これに限られるものではなく、便器３がタンクを有する洋風便器である場合にも配管経路洗浄モードと便器掃除モードを適用してもよい。
【００４８】
また、本実施形態では、配管経路洗浄モードにおいて、温度センサ１００から得られる温度信号に基づいて当該温度に応じて、浴槽２内の水を便器３に供給する量を変えるようにしてもよい。例えば、制御部１９３は、温度センサ１００から浴槽２の浴槽水の温度を取得する。制御部１９３は、図示の記憶部に予め記憶してあるポンプテーブルを参照し、浴槽水の温度に対応するポンプ１３の吐出し量を取得する。ポンプテーブルは、浴槽水の温度と、浴槽水の温度毎のポンプ１３の吐出し量とを対応させたテーブルである。ポンプテーブルは、浴槽水の温度が高いほど、少ないポンプ１３の吐出し量（ただし、洗浄モードにおける吐出し量よりは多い）になるように吐出し量が設定されている。これは、浴槽２内の浴槽水の温度が高いほど、汚れが落ちやすい、即ち浴槽２内の浴槽水の温度が高いほど少量の浴槽水で汚れが落とせるからである。制御部１９３は、取得した吐出し量をポンプ１３に出力する。ポンプ１３は、浴槽水の温度が高いほど少ない吐出し量で浴槽水配管内に浴槽水を送水する。これにより、浴槽２内の浴槽水の温度が高い場合、少ない浴槽水で浴槽水配管内の異物の堆積や汚れの付着を抑制することができる。
【００４９】
また、本実施形態では、配管経路洗浄モードにおいて、流量判定部１９４は、単位時間毎に積算された流量値が流量値閾値以上か否かを判定することを説明したが、本実施形態は、これに限られるものではない。例えば、流量判定部１９４は、温度センサ１００から制御部１９３を介して浴槽２内の水の温度を一定時間毎に取得する。流量判定部１９４は、不図示の記憶部に予め記憶してある流量閾値テーブルを参照し、浴槽水の温度に対応する流量閾値を一定時間毎に取得する。流量閾値は、浴槽水の温度と、浴槽水の温度毎の流量閾値とを対応させたテーブルである。なお、流量閾値テーブルは、浴槽水の温度が高いほど、低い値（ただし、洗浄モードにおける積算された流量値よりも高い）になるように流量閾値を設定されている。
配管洗浄モードにおいて、浴槽２内の水を供給する時間が洗浄モードに比べて長くなるが、浴槽２内の水の温度が高いほど、水を供給する時間を長引かせないようにすることができる。これは、浴槽２内の水の温度が高いほど、汚れが落ちやすい、即ち浴槽２内の水の温度が高いほど短い時間で汚れが落とせるからである。
【００５０】
さらに、本実施形態では、浴槽２内に水が十分ある場合を前提として説明したが、浴槽２内に水の量を検知しつつ上述の処理を行ってもよい。例えば、浴槽２内に水の量を検出する場合、流量計２９からの配管２８内の水の流量を示す信号に基づいて、この信号が得られている時間に従い、浴槽２内の水の量を検出する。また水位センサを用いて浴槽２内の水の量を検出してもよい。水位センサを用いる場合、制御部１９３は、水位センサが検知した浴槽２内の浴槽水の水位を取得する。制御部１９３は、水位センサから取得した浴槽２内の浴槽水の水位が予め設定された規定値未満になる場合、浴槽２内に浴槽水がないと判定する。制御部１９３は、浴槽２内に水がないと判定した場合、ポンプ１３を停止する。また、制御部１９３は、上水道からの上水をリム５の内面を通して便器３に給水する。
【００５１】
さらに、本実施形態では、入力部１９１は、便器と浴槽とが接続された経路の配管内を洗浄する指示を入力する。この指示は、配管経路洗浄モードによって洗浄を行うことを表す指示であればよい。この指示としては、例えば、スイッチ装置１８の配管経路洗浄モードのボタンが押下されることによる指示であってもよいし、前回配管経路洗浄モードを実施してからの経過時間が予め決められた時間に到達したとタイマーによって判定されたことを表す信号であってもよいし、予め決められた時刻が到来したことが検出されたことを表す信号であってもよい。
さらに、本実施形態では、配管経路洗浄モードによって配管を洗浄した浴槽水は、便器３からトラップ部７を経由して排水口に排出される。そのため、配管経路洗浄モードによって、便器３内の汚物を排出することもできる。
さらに、本実施形態では、ジェット機能を有する便器に用いることもできる。このとき、便器に洗浄水を給水する場合、浴槽水をジェット用の水として供給することができる。
【００５２】
また、タンクを有する洋風便器において、当該タンク内の水位が下がるとともに水流の勢いが低下しないように、貯水部を便器内の底部側に備える便器を上述の洗浄水給水システムに適用してもよい。図４は、他の便器３ａの断面を示す図である。この便器３ａの底部と便鉢との間に貯水部７１が設けられ、貯水部７１内の水を便鉢内に供給するポンプ７２が設けられている。このポンプ７２は、タンク内の水で便器内を洗浄する際に当該タンクの水位が下がると、この貯水部７１内の水を一定の勢いで供給する。これにより、水の勢いを落とすことなく、便器内の汚物を排出することができる。このような便器と上述の洗浄水給水システムを組み合わせることができる。
【符号の説明】
【００５３】
１  洗浄水給水システム
２  浴槽
３  便器
４  便鉢
５  リム
６  排水口
７  トラップ部
１０  吸込口
１２  連結配管
１３、７２  ポンプ
１５  リム用給水管
１６  上水給水部
１７  浴槽内水給水部
１８  スイッチ装置
１９  制御装置
２０  上水管
２１  リム用開閉弁
２３  リム用バキュームブレーカ
２５  リム側連結配管
２９  流量計
３１  リム側給水配管
１００  温度センサ
１９１  入力部
１９２  温度判定部
１９３  制御部
１９４  流量判定部
【図１】
2015086621.tif 000003
【図２】
2015086621.tif 000004
【図３】
2015086621.tif 000005
【図４】
2015086621.tif 000006